(57)【特許請求の範囲】
【請求項１】
複数個からなる燃焼バーナーと、前記燃焼バーナーを複数段階に切り替えて燃焼量を制御する燃焼能力切り替え手段と、前記燃焼バーナーの各段階の状態における最大・最小燃焼量を調節する調整モード切り替え手段と、前記調整モード切り替え手段によって調整モードに切り替えた状態で、燃焼量を調節する燃焼量変更手段とを有するガス給湯器において、前記燃焼能力切り替え手段によって切り替えられた前記燃焼バーナーの各段階毎の最小燃焼量と最大燃焼量の設定値を、前記調整モード切り替え手段によって切り替えた、前記燃焼バーナーの所定状態にて調節された最小燃焼量の調節値及び最大燃焼量の調節値を元に、前記所定状態以外の状態の最小燃焼量の設定値と最大燃焼量の設定値を調節することなく自動的に算出する燃焼量演算手段を有するガス給湯器。
【請求項２】
調節する燃焼バーナーの所定状態を、第１段階目の状態とする請求項１記載のガス給湯器。
【請求項３】
第１段階目の状態における最小燃焼量と最大燃焼量の調節値の差を１００％とした比率定数を、燃焼量が第１段階目の状態以外の最小燃焼量と最大燃焼量毎にそれぞれ設け、前記第１段階目の状態の最小燃焼量と最大燃焼量の調節値と、前記比率定数によって、各段階の状態毎の最小設定値と最大燃焼量の設定値を自動的に算出する請求項２記載のガス給湯器。
【請求項４】
燃焼バーナーの最小燃焼量と最大燃焼量の調節作業が、生産工場におけるものであるかまたは機器を設置後の市場におけるものであるかを判別する工場・市場判別手段を設け、前記工場・市場判別手段の判定が、工場である場合にのみ第１段階目の燃焼バーナーの比率定数を用いて、その他の燃焼バーナーの最小燃焼量と最大燃焼量の設定値を自動的に算出する請求項３記載のガス給湯器。
【請求項５】
第１段階目の状態において、手動による燃焼量の調節作業の順番が、「１．最小燃焼量の設定値が調節された」、「２．最大燃焼量の設定値が調節された」である場合にのみ、第１段階目の燃焼バーナーの比率定数を用いて、第１段階目以外の状態の最小燃焼量と最大燃焼量の設定値を自動的に算出する請求項４記載のガス給湯器。
【請求項６】
第１段階目の状態になり、燃焼が開始した時点で、所定時間のカウントを行なうタイマー手段を設け、第１段階目の状態での燃焼量の調節作業において、調節操作が行なわれるか或いは前記タイマー手段にて所定時間が経過したかの何れかによって、燃焼量の設定値が調節されたこと確定する第１調節確定モードと、前記第１調節確定モード以降は、調節操作が行なわれる場合のみ燃焼量の設定値が調節されたこと確定する第２調節確定モードを有する請求項５記載のガス給湯器。
【発明の詳細な説明】
【０００１】
【発明の属する技術分野】
本発明は、一般家庭用のガス給湯器に関し、さらに詳しくはガス燃焼量を切り替え制御する燃焼バーナーの最小、最大燃焼量の調節手段に関するものである。
【０００２】
【従来の技術】
近年、ガス給湯器においても地球環境を考慮した設計が行なわれ、例えば燃焼時のＮＯｘ量を低減した低ＮＯｘバーナーを搭載したガス給湯器が一般的になっている。
【０００３】
この低ＮＯｘバーナーの燃焼方式として、空気とガスとの混合比において、ガス量が多いバーナーとガス量が少なく、希薄な燃焼をするバーナーを複数個組み合わせ、１つの燃焼バーナーユニットとして構成している。
【０００４】
例えば２４号のガス給湯器における最小燃焼量（３．５号相当）から最大燃焼量（２４号相当）までの最適な燃焼を確保するため、バーナーの個数を分別し、切り替える制御を行なっている。
【０００５】
従って、低ＮＯｘバーナーにおいて、最適な燃焼を得る為には燃焼バーナーの切り替えと個々の燃焼バーナーの最大・最小燃焼量を設定することが必要である。
【０００６】
また一方で、ガス給湯器の燃焼性能を左右している要素部品として、ガス量を出湯温度によって比例的に制御するガス比例電磁弁があるが、近年の技術的な進歩により、特にガスの吐出圧力対燃焼量の特性に関して、直線性やヒステリシスのバラツキ低減など大幅に性能向上しており、ガス給湯器の各燃焼バーナー毎の燃焼量の調節の精度が向上され、ガス比例電磁弁の性能に左右されない燃焼特性が得られるようになってきている。
【０００７】
例えば従来のガス給湯器において、一実施例を説明すると、図６の様な構成が一般的である。
【０００８】
図６において、Ｋはガス給湯器、Ｒは操作リモコン、２３は複数個から構成された燃焼バーナー、２４と２５は燃焼バーナー２３を例えば４段階の燃焼状態に切り替える燃焼能力切り替え電磁弁（小）と（大）、２７はガス給湯器Ｋにガスを供給するためのガス元電磁弁、２６はガス元電磁弁２７より供給されるガス量を燃焼状態に合わせて比例的に制御するガス比例電磁弁、２８はガス給湯器Ｋを各燃焼バーナー毎に燃焼量を調節するモード（以下、調整モードという）に切り替えるための調整モード切り替えスイッチである。調整モード切り替えスイッチ２８は、例えば調整モードを１６段階に切り替えることができ、表１に示すような調整モードが割り当てられている。
【０００９】
【表１】
0004078749.tif 000002
【００１０】
（表１）においては、最小燃焼量をＴＤＲ、最大燃焼量をＭＡＸと表現する。またガス給湯器Ｋの点火時及び燃焼バーナー切り替え時の最適な燃焼を得るための燃焼量を緩点火及び切り替え緩点火と表現する。また燃焼能力切り替え電磁弁２４と２５は表１に示すような開閉状態となり、燃焼量を各調整モード番号毎の調節値に固定して燃焼する。
【００１１】
２９は、調整モード切り替えスイッチ２８を所定の調整モード番号に切り替え、ガス給湯器Ｋを燃焼させて、燃焼量を調節する燃焼量調節スイッチである。燃焼量調節スイッチ手段２９は、燃焼量を増やす場合に操作する増加スイッチ２９−ａと燃焼量を減らす場合に操作する減少スイッチ２９−ｂが設けられている。
【００１２】
次にガス給湯器Ｋの燃焼量の調節方法について説明する。
【００１３】
先ず、調整モード切り替えスイッチ２８を調整モード番号１（第１段燃焼バーナーＴＤＲ）に切り替え、ガス給湯器Ｋを燃焼状態とする。そして燃焼量調節スイッチ手２９の増加スイッチ２９−ａ及び減少スイッチ２９−ｂを操作して、ガス給湯器機Ｋの外部の例えば圧力測定メーター等を見ながら、目標の最小燃焼量に調節を行なう。
【００１４】
次に調整モード切り替えスイッチ２８を調整モード番号２（第１段燃焼バーナーＭＡＸ）に切り替え、ガス給湯器Ｋを燃焼状態とする。そして燃焼量調節スイッチ手段７の増加スイッチ２９−ａ及び減少スイッチ２９−ｂを操作して、同様に目標の最大燃焼量に調節を行なう。
【００１５】
以下同様に、調整モード切り替えスイッチ２８を調整モード番号３から調整モード番号８までの最小燃焼量及び最大燃焼量の調節を行なう。
【００１６】
以上の調節操作を行なうことで、ガス給湯器Ｋの燃焼バーナー２３が切り替えられてもそれぞれの切り替えた燃焼バーナー状態で最適な燃焼を得ることができる。
【００１７】
【発明が解決しようとする課題】
しかしながら、従来のガス給湯器における調節の必要な調整モード数は、上記に示した通り、調整モード番号１から調整モード番号８に至る８段階あり、ガス給湯器の生産ラインにおける各燃焼量の初期設定は、必ず８段階の調節と調節後の燃焼量の確認を行なう必要があった。
【００１８】
また、ガス給湯器に風呂釜を搭載したガス給湯機付風呂釜においては、給湯燃焼バーナーに加えて、風呂燃焼バーナーに対しても同様に最小燃焼量と最大燃焼量を調節する必要があり、すなわち燃焼バーナー状態の切り替え制御が存在する分だけ必ず最小燃焼量と最大燃焼量の調節を必要とし、生産ラインの初期設定や市場における調節作業に多くの時間を要するという課題を有していた。
【００１９】
【課題を解決するための手段】
本発明は上記課題を解決するために、ガス給湯機の所定の燃焼バーナー状態におけるＴＤＲ値とＭＡＸ値の調節値と前記ＴＤＲ値とＭＡＸ値の差を１００％とした比率定数を所定の燃焼バーナー状態以外の燃焼バーナー状態のＴＤＲ値とＭＡＸ値毎に設け、所定の燃焼バーナー状態以外の調節時には所定の燃焼バーナー状態におけるＴＤＲ値とＭＡＸ値とそれぞれの比率定数を用いて自動定期に燃焼量を計算し、所定の燃焼バーナー状態以外ではＴＤＲ値とＭＡＸ値の調節作業を削減するようにしたものである。
【００２０】
上記発明によれば、ガス給湯器におけるＴＤＲ値とＭＡＸ値の燃焼量の調節作業は所定の燃焼バーナー状態の場合にのみ行なうことで、全ての燃焼バーナー状態のＴＤＲ値とＭＡＸ値の燃焼量の調節を行なうことができる。
【００２１】
【発明の実施の形態】
本発明は、複数個からなる燃焼バーナーと、前記燃焼バーナーを複数段階に切り替えて燃焼量を制御する燃焼能力切り替え手段と、各段階の燃焼バーナー状態における最大・最小燃焼量を調節するモードに切り替える調整モード切り替え手段と、前記調整モード切り替え手段によって調整モードに切り替えた状態で、燃焼量を調節する調節変更手段とを有するガス給湯器において、前記燃焼能力切り替え手段によって切り替えられた燃焼バーナーの各段階毎の最小燃焼量と最大燃焼量の設定値を、前記調整モード切り替え手段によって切り替えた、所定燃焼バーナー状態にて調節された最小燃焼量の調節値と最大燃焼量の調節値を元に、前記所定燃焼バーナー状態以外の段階の燃焼バーナー状態の最小燃焼量の設定値と最大燃焼量の設定値を調節することなく自動的に算出する燃焼量演算手段を有するものである。そして、所定燃焼モードの状態でのみ最小燃焼量と最大燃焼量を調節するだけで、所定燃焼モード以外の燃焼モード状態における最小燃焼量と最大燃焼量を自動的に算出し、調節値を決定することができる。
【００２２】
さらに本発明は、調節する所定燃焼バーナー状態を、第１段階目の燃焼バーナー状態とするものである。そして、第１段階の燃焼バーナー状態の最小燃焼量と最大燃焼量を調節すればそれ以外の燃焼バーナー状態での個々の最小燃焼量と最大燃焼量とを最小段階の燃焼量をもとに算出することができる。
【００２３】
さらに本発明は、第１段階目の燃焼バーナー状態における最小燃焼量と最大燃焼量の調節値の差を１００％とした比率定数を、前記燃焼量が第１段階目の燃焼バーナー状態以外の最小燃焼量と最大燃焼量毎にそれぞれ設け、前記第１段階目の燃焼バーナー状態の最小燃焼量と最大燃焼量の調節値と、前記比率定数によって、各段階の燃焼バーナー状態毎の最小設定値と最大燃焼量の設定値を自動的に算出する燃焼量演算手段を有するものである。そして、予め設定された各燃焼バーナー状態における比率定数を用いれば、ガス給湯器固有にバラツキが予想される第１段階目の燃焼バーナー状態の最小燃焼量と最大燃焼量の調節幅にあった、最小段階の燃焼バーナー以外の個々の調節値を相対的に算出することができる。
【００２４】
さらに本発明は、燃焼バーナーの最小燃焼量と最大燃焼量の調節作業が、生産工場におけるものであるかまたは機器を設置後の市場におけるものであるかを判別する工場・市場判別手段を設け、前記工場・市場判別手段の判定が、工場である場合にのみ第１段階目の燃焼バーナーの比率定数を用いて、その他の燃焼バーナーの最小燃焼量と最大燃焼量の設定値を自動的に算出するものである。そして、ガス給湯器を製造する生産ラインにては、工場モードにして動作させ、第１段階目の燃焼バーナーの最大、最小燃焼量を調整するだけで、それ以外調節値を設定でき、生産性を向上することができる。
【００２５】
また市場モードに設定されているときは、自動的に演算する機能を無効とするため、生産ラインにて初期設定された燃焼量を元に、すべての燃焼量の調節を個別に行なうことができる。
【００２６】
さらに本発明は、第１段階目の燃焼バーナー状態において、手動による燃焼量の調節作業の順番が、「１．最小燃焼量の設定値が調節された」、「２．最大燃焼量の設定値が調節された」である場合にのみ、第１段階目の燃焼バーナーの比率定数を用いて、第１段階目以外の燃焼バーナー状態の最小燃焼量と最大燃焼量の設定値を自動的に算出するものである。そして、上記手順で調節された場合にのみ自動的に算出し、それ以外では、調節操作を禁止または無効するため、操作方法の一元化ができ、誤った操作をした場合やランダム操作をした場合には、自動的に演算させないようにすることができる。
【００２７】
さらに本発明は、第１段階目の燃焼バーナー状態になり、燃焼が開始した時点で、所定時間のカウントを行なうタイマー手段を設け、第１段階目の燃焼バーナー状態での燃焼量の調節作業において、調節操作が行なわれるか或いは前記タイマー手段にて所定時間が経過したかの何れかによって、燃焼量の設定値が調節されたこと確定する第１調節確定モードと、前記第１調節確定モード以降は、調節操作が行なわれる場合のみ燃焼量の設定値が調節されたこと確定する第２調節確定モードを有するものである。そして、最小燃焼量と最大燃焼量を調節する必要が無かった場合、最小燃焼量を調節モードで、所定時間が経過すれば、調節操作があったものとして動作するので、必要以上に調節操作をしなくても、調節動作を正常に終了することができる。
【００２８】
【実施例】
以下、本発明の実施例について図面を用いて説明する。
【００２９】
（実施例１）
図１は本発明の実施例１のガス給湯器に関するブロック図である。
【００３０】
図１において、１は燃焼量を増加する調節を行なうアップスイッチ、２は燃焼量を減少する調節を行なうダウンスイッチ、３はアップスイッチ１とダウンスイッチ２のＯＮ／ＯＦＦ操作内容を入力・判定する調整スイッチ判定手段である。アップスイッチ１またはダウンスイッチ２は例えば、プッシュスイッチや外部からのデジタル的な１，０信号等が使用される。
【００３１】
４はガス給湯器Ｋを燃焼量を調節するモード（以降、調整モードという）に切り替えるための調整モードスイッチで、例えば１６段階の切り替えが可能であり、その内番号１から番号８までが燃焼量を調節するモードである。
【００３２】
５は調整モードスイッチ４の入力を判定し、調整モードがモード番号の何番目であるかどうかを判定する調整モード切り替え手段である。
【００３３】
６は調整モード切り替え手段５の調整モード番号が例えば１番或いは２番の場合にそれぞれ割り当てられた燃焼量の設定値Ａ１或いはＡ２に対して、調整スイッチ判定手段３のアップ・ダウン操作判定の結果を判定し、都度設定値Ａ１或いはＡ２を設定変更する燃焼量変更手段、７は前記調整モード番号１或いは調整モード番号２における燃焼量の設定値Ａ１或いはＡ２と、調整モード番号１、２以外の固定データ記憶手段８内の固定燃焼量データを用いて、調整モード番号１、２以外の調整モード番号３から８までの自動演算設定値群１０（設定値Ｂ１から設定値Ｄ２）を自動的に算出する燃焼量演算手段である。固定データ記憶手段８内には、調整モード番号１のＴＤＲ値Ａ１と調整モード番号２のＭＡＸ値Ａ２に対して加減算する調整モード番号２から番号８までの燃焼量の固定値が、例えば不揮発性メモリ等を用いて記憶されている。
【００３４】
９は調整モード番号１から番号８までのそれぞれの燃焼量の設定値を記憶するための例えば不揮発性メモリ等を用いる設定値記憶手段である。
【００３５】
１１は燃焼量変更手段６の燃焼量変更内容や或いは不揮発性メモリ９内に記憶された自動演算設定値群１０を元に、ガス給湯器Ｋの燃焼制御を行なう燃焼制御手段、１２は燃焼制御手段１１の燃焼制御量に応じて、所定の燃焼バーナー状態に燃焼能力切り替え弁１３と１４を切り替え制御する燃焼能力切り替え弁手段である。
【００３６】
本実施例におけるガス給湯機Ｋの燃焼量の調節方法について説明する。
【００３７】
先ず、調整モードスイッチ４を調整モード番号１の調整モード切り替え手段５によって、調整モード番号１判定する。そして燃焼量変更手段６によって調整モード番号１に該当する最小燃焼量の設定値Ａ１（以降、ＴＤＲ値という）を調整対象値として指定し、アップスイッチ１或いはダウンスイッチ２の操作を調整スイッチ判定手段３によって判定し、ＴＤＲ値Ａ１に加減算し、燃焼量の調節を行なう。
【００３８】
次に調整モードスイッチ４を調整モード番号８の調整モード切り替え手段５によって、調整モード番号２判定する。そして燃焼量変更手段６によって調整モード番号２に該当する最大燃焼量の設定値Ａ２（以降、ＭＡＸ値という）を調整対象値として指定し、アップスイッチ１或いはダウンスイッチ２の操作を調整スイッチ判定手段３によって判定し、ＭＡＸ値Ａ２に加減算し、燃焼量の調節を行なう。
【００３９】
燃焼量変更手段６の変更結果を同時に燃焼制御手段１１に伝えて、燃焼能力切り替え弁手段１２を経由して能力切り替え弁１３及び１４の切り替え制御を行なう。
【００４０】
そして、調整モード番号１と調整モード番号２の調節値が決定された段階で、燃焼量演算手段７が、設定値Ａ１及び設定値Ａ２と、固定データ記憶手段８内の燃焼量固定値（固定値ｘ１から固定値ｚ２）とを加減算して、自動演算設定値群１０内の設定値Ｂ２から設定値Ｄ２までの各調整モード番号に相当する燃焼量を自動的に計算する。
【００４１】
（実施例２）
図２は本発明の実施例２のガス給湯器に関するブロック図である。実施例１との相違点のみ説明する。
【００４２】
図２において、１５は調整モード番号１のＴＤＲ値Ａ１と調整モード番号２のＭＡＸ値Ａ２との差を１００％とした場合の比率定数を有する比率データ記憶手段である。比率データ記憶手段１５は、設定値記憶手段９と同様に例えば不揮発性メモリに固定的に記憶しておくものである。
【００４３】
動作について実施例１との相違点のみ説明する。
【００４４】
実施例１は比率データ記憶手段８を用いて、設定値Ａ２からＤ１までを自動的に算出するに対して、本実施例は比率データ記憶手段１５内の比率定数ｂ１からｄ２を用いて、設定値Ｂ１からＤ２までの燃焼量設定値を自動的に算出するものである。
【００４５】
計算方法は例えば下記のように行なう。
【００４６】
例えば調整モード番号１のＴＤＲ値Ａ１とＭＡＸ値Ａ２の差をΔＡとすると、
ΔＡ＝Ａ２−Ａ１
という関係となり、比率定数ｂ１からｄ２を用いて各調整モード番号毎の燃焼量を計算時には、
調整モード番号３：設定値Ｂ１＝ＴＤＲ値Ａ１＋ΔＡ×比率定数ｂ１
調整モード番号４：設定値Ｂ１＝ＭＡＸ値Ａ２＋ΔＡ×比率定数ｂ２
調整モード番号５：設定値Ｂ１＝ＴＤＲ値Ａ１＋ΔＡ×比率定数ｃ１
調整モード番号６：設定値Ｂ１＝ＭＡＸ値Ａ２＋ΔＡ×比率定数ｃ２
調整モード番号７：設定値Ｂ１＝ＴＤＲ値Ａ１＋ΔＡ×比率定数ｄ１
調整モード番号８：設定値Ｂ１＝ＭＡＸ値Ａ２＋ΔＡ×比率定数ｄ２
という関係式で演算を行なう。
【００４７】
上記ではΔＡ＝Ａ２−Ａ１としたが、例えばΔＡ＝２×（Ａ２−Ａ１）というように更に演算等の加工を行なえば、調整できる範囲を増やすこともできる。
【００４８】
以上のように、比率定数ｂ１からｄ２を使用することで、設定値Ａ１とＡ２の調節幅に応じた設定値を算出することができる。
【００４９】
（実施例３）
図３は本発明の実施例３のガス給湯器に関するブロック図である。実施例２との相違点のみ説明する。
【００５０】
図３にて、１７は調節作業が生産ラインにおけるものか、市場におけるものかを切り替えす工場・市場モード切り替えスイッチ、１８は前記工場・市場モード切り替えスイッチ１７の設定内容を判定する工場・市場モード判別手段である。
【００５１】
動作について実施例１との相違点のみ説明する。
【００５２】
実施例２は、工場モード或いは市場モードのどちらであっても自動的な演算を行なうものに対して、本実施例は、前記工場・市場モード切り替えスイッチ１７が工場モード側に切り替えられた場合にのみに自動的な演算を行なうができる。
【００５３】
（実施例４）
図４は本発明の実施例４のガス給湯器に関する調整操作のフローチャートである。実施例３との相違点のみ説明する。
【００５４】
図４にて、ＳＴ１は調整モード番号１において燃焼量ＴＤＲ値Ａ１が変更されたことを判定し、次にＳＴ２にて調整モード番号２において燃焼量ＭＡＸ値Ａ２が変更されたことを判定する。
【００５５】
次のＳＴ３にて、変更の順序がＴＤＲ値Ａ１→ＭＡＸ値Ａ２の順序であるかどうかを判定し、ＴＤＲ値Ａ１→ＭＡＸ値Ａ２の順序であることを判別する。
【００５６】
次にＳＴ４にて、調節された前記ＴＤＲ値Ａ１とＭＡＸ値Ａ２を用いて自動的に所定の燃焼演算を行ない各調整モード番号毎の燃焼量であるＴＤＲ値及びＭＡＸ値を決定する。
【００５７】
ＳＴ５にて、ＴＤＲ値Ａ１→ＭＡＸ値Ａ２の順序以外であれば調整モード番号１或いは番号２の変更値を無効（例えば、初期値に戻す）とする。
【００５８】
（実施例５）
図５は本発明の実施例５のガス給湯器に関するブロック図である。実施例４との相違点のみ説明する。
【００５９】
図５にて、２０は調整モードスイッチ４の調整モード番号１になった時点或いは調整モード番号２になった時点から所定時間２１（例えば、３秒）をカウントするタイマー手段、２２はタイマー手段２０の時間経過或いはＴＤＲ値Ａ１とＭＡＸ値Ａ２の変更確定を判定する１回目モードと、ＴＤＲ値Ａ１とＭＡＸ値Ａ２の変更確定時のみを判定する２回目モードを判定し、燃焼量演算手段１６に自動的な演算を行なう指示を出す燃焼量変更手段ある。
【００６０】
実施例４は、調整モード番号１或いは番号２の設定値のＴＤＲ値Ａ１とＭＡＸ値が初期設定値のままで変更する必要がない場合、自動計算しないバターンとなるのに対し、タイマー手段２０によって所定時間２０が経過した時点で変更ありを確定することができる。
【００６１】
【発明の効果】
以上のように本発明によれば、ガス給湯器の燃焼量の調整作業において、所定燃焼バーナー状態における最小燃焼量と最大燃焼量のみを調節するだけで、すべての燃焼バーナー状態のそれぞれの燃焼量を自動的に調節することができ、ガス給湯器の生産ラインにおける燃焼量調節工程の時間短縮が可能となり、生産性を向上することができる。
【００６２】
また所定燃焼バーナー状態を最小段階の燃焼バーナーにすることができる。
【００６３】
また本発明によれば、調整モード番号１の変更から調整モード番号２の変更があった場合にのみ自動計算するため、操作の標準化が可能となり、その操作を無視した場合、初期設定値に戻し、所定順序以外の操作を撲滅することができる。
【００６４】
また本発明によれば、燃焼量の初期値が設定変更しない場合、調整モード番号１と番号２における変更確定が、所定時間経過とともに確定するため、無駄な調整作業を撲滅することができ、特に生産ラインにおける初期設定用の調整作業においては操作性の向上と調整作業の時間短縮等による生産性の向上を図ることができる。
【図面の簡単な説明】
【図１】本発明の実施例１のガス給湯器に関するブロック図
【図２】本発明の実施例２のガス給湯器に関するブロック図
【図３】本発明の実施例３のガス給湯器に関するブロック図
【図４】本発明の実施例４のガス給湯器の調整作業を示すフローチャート
【図５】本発明の実施例５のガス給湯器に関するブロック図
【図６】従来のガス給湯器の構成図
【符号の説明】
１  アップスイッチ
２  ダウンスイッチ
３  調整スイッチ判定手段
４  調整モードスイッチ
５  調整モード判定手段
６  燃焼量変更手段
７  燃焼量演算手段
８  固定データ記憶手段
９  設定値記憶手段
１０  自動演算設定値群
１２  燃焼能力切り替え手段
１５  比率データ記憶手段
１７  工場・市場モード切り替えスイッチ
１８  工場・市場モード判別手段
２０  タイマー手段
２１  所定時間
【図１】
0004078749.tif 000003
【図２】
0004078749.tif 000004
【図３】
0004078749.tif 000005
【図４】
0004078749.tif 000006
【図５】
0004078749.tif 000007
【図６】
0004078749.tif 000008